(57)【要約】【課題】誤装着を認識することができ、これにより正しく脈波測定が行なえるように構成された血圧情報測定装置を提供する。【解決手段】血圧情報測定装置１Ａは、上腕の所定位置に巻き付けられるべき脈波測定用空気袋２３と、上腕の上記所定位置よりも末梢側の部分を含む位置に巻き付けられるべき血圧値測定用空気袋２４と、脈波測定用空気袋２３の内圧を検出する圧力センサ３３Ａと、血圧値測定用空気袋２４の内圧を検出する圧力センサ３３Ｂと、制御手段としてのＣＰＵ４０と、誤装着を報知する表示部４２およびブザー４４とを備える。ＣＰＵ４０は、圧力センサ３３Ａにて検出された圧力情報および圧力センサ３３Ｂにて検出された圧力情報に基づいて、上腕の上記所定位置よりも末梢側の部分を含む位置に血圧値測定用空気袋２４が巻き付けられていないと判断した場合に、表示部４２およびブザー４４を用いてこれを被験者等に報知する。【選択図】図５
2011177249.tif 000002
【特許請求の範囲】
【請求項１】
四肢のうちから選択されたいずれかの肢体の所定位置に巻き付けられるべき第１流体袋と、
前記選択された肢体の前記所定位置よりも末梢側の部分を含む位置に巻き付けられるべき第２流体袋と、
前記第１流体袋の内圧を検出する第１圧力検出手段と、
前記第２流体袋の内圧を検出する第２圧力検出手段と、
前記第１流体袋および前記第２流体袋を加減圧する加減圧手段と、
前記加減圧手段の駆動を制御する制御手段と、
前記第１圧力検出手段にて検出された圧力情報に基づいて脈波を取得する脈波取得手段と、
前記第１圧力検出手段にて検出された圧力情報および前記第２圧力検出手段にて検出された圧力情報に基づいて、前記選択された肢体の前記所定位置よりも末梢側の部分を含む位置に前記第２流体袋が巻き付けられているか否かを判断する判断手段とを備えた、血圧情報測定装置。
【請求項２】
前記判断手段は、前記第１流体袋および前記第２流体袋を前記加減圧手段を用いて最高血圧以上に加圧した状態において、前記第１圧力検出手段で検出される前記第１流体袋の内圧変動の振幅を予め定めた値と比較することにより、前記選択された肢体の前記所定位置よりも末梢側の部分を含む位置に前記第２流体袋が巻き付けられているか否かを判断する、請求項１に記載の血圧情報測定装置。
【請求項３】
前記判断手段は、前記第１流体袋および前記第２流体袋を前記加減圧手段を用いて加圧する過程において、前記第１圧力検出手段で検出される前記第１流体袋の内圧変動に含まれる振幅成分の振幅と、前記第２圧力検出手段で検出される前記第２流体袋の内圧変動に含まれる振幅成分の振幅との比を、予め定めた値と比較することにより、前記選択された肢体の前記所定位置よりも末梢側の部分を含む位置に前記第２流体袋が巻き付けられているか否かを判断する、請求項１に記載の血圧情報測定装置。
【請求項４】
前記判断手段は、前記第１流体袋および前記第２流体袋を前記加減圧手段を用いて加圧する過程において、前記第１圧力検出手段で検出される前記第１流体袋の内圧変動と、前記第２圧力検出手段で検出される前記第２流体袋の内圧変動との相互相関を算出し、算出した相互相関を予め定めた値と比較することにより、前記選択された肢体の前記所定位置よりも末梢側の部分を含む位置に前記第２流体袋が巻き付けられているか否かを判断する、請求項１に記載の血圧情報測定装置。
【請求項５】
前記制御手段は、前記判断手段が前記選択された肢体の前記所定位置よりも末梢側の部分を含む位置に前記第２流体袋が巻き付けられていないと判断した場合に、直ちに前記第１流体袋および前記第２流体袋を減圧するように前記加減圧手段の駆動を制御する、請求項１から４のいずれかに記載の血圧情報測定装置。
【請求項６】
前記判断手段が前記選択された肢体の前記所定位置よりも末梢側の部分を含む位置に前記第２流体袋が巻き付けられていないと判断した場合に、これを報知する報知手段をさらに備えた、請求項１から５のいずれかに記載の血圧情報測定装置。
【請求項７】
前記第２圧力検出手段にて検出された圧力情報に基づいて血圧値を取得する血圧値取得手段をさらに備えた、請求項１から６のいずれかに記載の血圧情報測定装置。
【請求項８】
前記第１流体袋および前記第２流体袋が、単一のカフに設けられている、請求項１から７のいずれかに記載の血圧情報測定装置。
【請求項９】
前記カフの装着状態において前記第２流体袋が被装着部位の実質的に全体にわたって巻き付けられるように、前記第２流体袋が前記第１流体袋の外側を覆っている、請求項８に記載の血圧情報測定装置。
【請求項１０】
前記カフの装着状態において前記第２流体袋が被装着部位の中枢側を除く部分にのみ巻き付けられるように、前記第２流体袋が前記カフの軸方向に沿って前記第１流体袋と並んで配置されている、請求項８に記載の血圧情報測定装置。
【請求項１１】
前記脈波取得手段にて取得された脈波に基づいて動脈硬化度を示す指標を算出する指標算出手段をさらに備えた、請求項１から１０のいずれかに記載の血圧情報測定装置。
【請求項１２】
四肢のうちから選択されたいずれかの肢体の所定位置に巻き付けられるべき第１流体袋と、前記選択された肢体の前記所定位置よりも末梢側の部分を含む位置に巻き付けられるべき第２流体袋とを備えた血圧情報測定装置用カフの装着状態判別方法であって、
前記第１流体袋の内圧および前記第２流体袋の内圧をそれぞれ検出するステップと、
検出されたこれら圧力情報に基づいて、前記選択された肢体の前記所定位置よりも末梢側の部分を含む位置に前記第２流体袋が巻き付けられているか否かを判断するステップとを備える、血圧情報測定装置用カフの装着状態判別方法。
【発明の詳細な説明】
【技術分野】
【０００１】
本発明は、流体袋が設けられたカフを身体に装着して血圧情報を取得する血圧情報測定装置に関し、特に、血圧情報として脈波を取得することが可能に構成された血圧情報測定装置に関する。
【０００２】
また、本発明は、上記血圧情報測定装置に具備されるカフの被装着部位への装着状態を判別するするための装着状態判別方法に関する。
【背景技術】
【０００３】
被験者の血圧情報を取得することは、被験者の健康状態を知る上で非常に重要なことである。近年においては、従来から健康管理の代表的な指標として広くその有用性が認められている収縮期血圧値（以下、最高血圧）、拡張期血圧値（以下、最低血圧）等を取得することに限られず、被験者の脈波を取得することによって心臓負荷や動脈硬化度等を捉える試みがなされている。血圧情報測定装置は、取得した血圧情報に基づいてこれら健康管理のための指標を得るための装置であり、循環器系の疾患の早期発見や予防、治療等の分野においてさらなる活用が期待されている。なお、血圧情報には、収縮期血圧値、拡張期血圧値、平均血圧値、脈波、脈拍、動脈硬化度を示す各種指標等、循環器系の種々の情報が広く含まれる。
【０００４】
一般に、血圧情報の測定には、カフが利用される。ここで、カフとは、内腔を有する流体袋を含む帯状または環状の構造物であって身体の一部に巻き付けが可能なものを意味し、気体や液体等の流体を上記内腔に注入することによって流体袋を膨張・収縮させて血圧情報の測定に利用されるもののことを指す。なお、特に腕に巻き付けられて使用されるカフは、腕帯あるいはマンシェットとも呼ばれる。
【０００５】
従来、動脈硬化度を示す指標を取得することが可能に構成された血圧情報測定装置として、心臓から駆出された脈波の伝搬速度（以下、ＰＷＶ：Pulse Wave Velocity）が動脈硬化が進行するほどに速くなることを利用し、測定したＰＷＶに基づいて動脈硬化度を示す指標を取得するものが知られている。
【０００６】
その一つに、四肢および頸部等から選択される２箇所以上の被測定部位にカフやセンサを装着し、装着したカフやセンサにて同時に脈波を取得し、取得された脈波の出現時間差と、被測定部位間の動脈長さとに基づいてＰＷＶが測定され、測定されたＰＷＶに基づいて動脈硬化度を示す指標を取得するように構成された血圧情報測定装置が知られている。
【０００７】
上述した血圧情報測定装置において測定されるＰＷＶとしては、代表的なものとして、ｂａＰＷＶ（brachial-ankle Pulse Wave Velocity）と、ｃｆＰＷＶ（carotid-femoral Pulse Wave Velocity）とがある。ｂａＰＷＶは、被測定部位として上腕および足首が選択されることで測定されたＰＷＶであり、当該ｂａＰＷＶに基づいて動脈硬化度を示す指標を取得することが可能に構成された血圧情報測定装置としては、たとえば特開２０００−３１６８２１号公報（特許文献１）に開示のものがある。また、ｃｆＰＷＶは、被測定部位として頸部および大腿部が選択されることで測定されたＰＷＶである。
【０００８】
しかしながら、上述した如くのｂａＰＷＶやｃｆＰＷＶを測定してこれらに基づいて動脈硬化度を示す指標を取得する血圧情報測定装置にあっては、身体の複数の部位にカフやセンサを装着してＰＷＶの測定を行なうことが必要であるため、装置が比較的大型になってしまうといった問題や、装置構成が比較的複雑になってしまうといった問題がある。そのため、これら血圧情報測定装置は、医療機関等において使用することはできても、一般家庭において使用できるものとは言い難いのが現状である。
【０００９】
そのため、装置を小型に構成することが可能となるように、上腕の異なる位置にそれぞれカフを装着してＰＷＶを測定し、測定したＰＷＶに基づいて動脈硬化度を示す指標を取得するように構成された血圧情報測定装置が、特開２００４−１１３５９３号公報（特許文献２）に開示されている。
【００１０】
当該特許文献２に開示の血圧情報測定装置にあっては、上腕の異なる位置にカフをそれぞれ装着し、末梢側に装着されたカフに阻血用空気袋を内包させ、中枢側に装着されたカフに脈波測定用空気袋を内包させ、阻血用空気袋を用いて動脈を阻血した状態において脈波測定用空気袋を用いて脈波を検出し、検出した脈波に含まれる駆出波成分のピーク値と反射波成分のピーク値とが出現する時間差と、当該カフが装着された上腕の異なる位置の間の動脈長さとに基づいてＰＷＶを測定し、測定されたＰＷＶに基づいて動脈硬化度を示す指標が取得されるように構成されている。ここで、駆出波とは、脈波測定用空気袋が装着された部分の動脈に中枢側から伝播される脈波のことであり、反射波とは、上記駆出波が上記阻血用空気袋が装着された部分において反射して脈波測定用空気袋が装着された部分の動脈に末梢側から伝播される脈波のことである。
【００１１】
しかしながら、上述した特許文献２に開示の血圧情報測定装置にあっても、依然として２つのカフの装着が必要となるため、十分な小型化が図られているとまでは言えず、一般家庭において使用するには、なお小型化が必要である。
【００１２】
そこで、一般家庭においても使用できるように、単一のカフを上腕に装着してＰＷＶを測定し、測定したＰＷＶに基づいて動脈硬化度を示す指標を取得するように構成された血圧情報測定装置が、特開２００７−０４４３６２号公報（特許文献３）に開示されている。
【００１３】
当該特許文献３に開示の血圧情報測定装置にあっては、上腕に巻き付けられるカフに、１つの大容量の血圧値測定用空気袋と２つの小容量の脈波測定用空気袋とを内包させ、装着状態において一方の脈波測定用空気袋が血圧値測定用空気袋よりも中枢側に配置されるようにするとともに他方の脈波測定用空気袋が血圧値測定用空気袋よりも末梢側に配置されるようにし、血圧値測定用空気袋を用いて血圧値を測定するとともに、２つの脈波測定用空気袋を用いて検出される脈波の出現時間差と、これら２つの脈波測定用空気袋の間の距離とに基づいてＰＷＶを測定し、測定されたＰＷＶに基づいて動脈硬化度を示す指標が取得されるように構成されている。
【００１４】
しかしながら、上述した特許文献３に開示の血圧情報測定装置にあっては、カフの被装着部位に含まれる動脈を阻血することなく上記２つの脈波測定用空気袋を用いて脈波を検出する構成であるため、検出される脈波に被装着部位よりも末梢側に位置する動脈からの反射波が重畳してしまうことになり、反射波を適切に分離することが困難となってＰＷＶの測定精度が大幅に低下してしまう問題がある。そのため、上記特許文献３に開示の如くの血圧情報測定装置とした場合には、取得される動脈硬化度を示す指標の精度を高めることが困難になってしまう。
【００１５】
以上において述べたすべての問題を解決し、一般家庭においても使用が可能な程度に装置の小型化が図られ、かつ高精度にＰＷＶを測定することができ、その結果高い精度で動脈硬化度を示す指標の取得が可能に構成された血圧情報測定装置として、たとえば特開２００９−２８４９６５号公報（特許文献４）や特開２００９−２８４９６６号公報（特許文献５）に開示のものがある。
【００１６】
上記特許文献４および５に開示の血圧情報測定装置にあっては、単一のカフが上腕に装着され、当該カフに１つの大容量の血圧値測定用空気袋と１つの小容量の脈波測定用空気袋とが内包され、装着状態において脈波測定用空気袋が被装着部位の中枢側に配置されるようにするとともに血圧値測定用空気袋が被装着部位の末梢側に配置されるようにし、血圧値測定用空気袋にて血圧値を測定するとともに、当該血圧値測定用空気袋を用いて動脈を阻血した状態を維持して脈波測定用空気袋を用いて脈波を検出し、検出した脈波に含まれる駆出波成分のピーク値と反射波成分のピーク値とが出現する時間差と、心臓（より具体的には鎖骨下動脈分岐部）から腸骨動脈分岐部までの間の動脈長さとに基づいてＰＷＶを測定し、測定されたＰＷＶに基づいて動脈硬化度を示す指標が取得されるように構成されている。ここで、駆出波とは、心臓から脈波測定用空気袋が装着された部分の動脈に直接伝播される脈波のことであり、反射波とは、上記駆出波が腸骨動脈分岐部において反射して脈波測定用空気袋が装着された部分の動脈に伝播される脈波のことである。
【００１７】
当該特許文献４および５に開示の血圧情報測定装置にあっては、単一のカフが上腕に装着され、かつ当該単一のカフに１つの血圧値測定用空気袋と１つの脈波測定用空気袋が内包される構成であるため、装置を従来に比して小型化することができ、また血圧値測定用空気袋を動脈を阻血するためのカフとしても利用する構成であるため、末梢側を阻血した状態で脈波の測定を行なうことができ、検出される脈波に被装着部位よりも末梢側に位置する動脈からの反射波が重畳するおそれもなく、高精度にＰＷＶを測定することが可能になる。また、上記特許文献４および５に開示の血圧情報測定装置にあっては、血圧値測定用空気袋と脈波測定用空気袋とを同時にまたは選択的に単一の加圧ポンプを用いて加圧する構成とすることも可能であり、そのように構成すればさらなる装置の小型化および装置構成の簡素化が図られることにもなる。
【００１８】
したがって、上記特許文献４および５に開示の如くの血圧情報測定装置とすれば、一般家庭においても使用が可能な程度に装置の小型化および装置構成の簡素化が図られ、かつ高精度にＰＷＶを測定することができ、その結果高い精度で動脈硬化度を示す指標の取得が可能に構成された血圧情報測定装置とすることができる。
【００１９】
なお、上記特許文献４および５には、上述したＰＷＶに基づいて動脈硬化度を示す指標を取得する以外にも、検出した脈波に含まれる駆出波成分の振幅と反射波成分の振幅との差や比に基づいて動脈硬化度を示す指標を取得することができることが記載されている。
【００２０】
また、上記特許文献４および５に加え、特開２００４−１９５０７１号公報（特許文献６）や特表２００７−５２２８５７号公報（特許文献７）には、動脈を圧迫する際の圧迫力が異なる場合に検出される脈波の形状に相違が生じることから、脈波を検出する際に動脈に与えられる圧迫力を最高血圧よりも高い圧力とし、当該状態で検出された脈波に基づいて各種の脈波解析を行なうことが好ましいことが記載されている。
【先行技術文献】
【特許文献】
【００２１】
【特許文献１】特開２０００−３１６８２１号公報
【特許文献２】特開２００４−１１３５９３号公報
【特許文献３】特開２００７−０４４３６２号公報
【特許文献４】特開２００９−２８４９６５号公報
【特許文献５】特開２００９−２８４９６６号公報
【特許文献６】特開２００４−１９５０７１号公報
【特許文献７】特表２００７−５２２８５７号公報
【発明の概要】
【発明が解決しようとする課題】
【００２２】
しかしながら、上述した特許文献４および５に開示される如くの血圧情報測定装置とした場合にも、カフの向きを誤って装着した場合（すなわち、被装着部位の末梢側に脈波測定用空気袋が巻き付けられ、被装着部位の中枢側に血圧値測定用空気袋が装着された場合）には、脈波を正しく取得することができない問題がある。この問題は、脈波測定用空気袋と血圧値測定用空気袋とを別々のカフに具備させた場合にも、これらカフの装着位置を取り違えることで生じ得る。
【００２３】
ここで、通常、脈波測定のためには、数十秒から数分程度の測定時間を要する。そのため、上述した如くの誤装着があった場合には、正しく脈波が測定できていないにも拘らず、測定動作中において阻血状態が維持されることになってしまい、被験者に苦痛を与えてしまうことになる。
【００２４】
したがって、本発明は、上述した問題を解決すべくなされたものであり、誤装着を認識することができ、これにより正しく脈波測定が行なえるように構成された血圧情報測定装置を提供することを目的とする。
【００２５】
また、本発明は、上記血圧情報測定装置に具備されるカフが正しく被装着部位に装着されているか否かを判別することを可能にする血圧情報測定装置用カフの装着状態判別方法を提供することを目的とする。
【課題を解決するための手段】
【００２６】
本発明に基づく血圧情報測定装置は、第１流体袋と、第２流体袋と、第１圧力検出手段と、第２圧力検出手段と、加減圧手段と、制御手段と、脈波取得手段と、判断手段とを備える。上記第１流体袋は、四肢のうちから選択されたいずれかの肢体の所定位置に巻き付けられるべきものである。上記第２流体袋は、上記選択された肢体の上記所定位置よりも末梢側の部分を含む位置に巻き付けられるべきものである。上記第１圧力検出手段は、上記第１流体袋の内圧を検出する。上記第２圧力検出手段は、上記第２流体袋の内圧を検出する。上記加減圧手段は、上記第１流体袋および上記第２流体袋を加減圧する。上記制御手段は、上記加減圧手段の駆動を制御する。上記脈波取得手段は、上記第１圧力検出手段にて検出された圧力情報に基づいて脈波を取得する。上記判断手段は、上記第１圧力検出手段にて検出された圧力情報および上記第２圧力検出手段にて検出された圧力情報に基づいて、上記選択された肢体の上記所定位置よりも末梢側の部分を含む位置に上記第２流体袋が巻き付けられているか否かを判断する。
【００２７】
上記本発明に基づく血圧情報測定装置にあっては、上記判断手段が、上記第１流体袋および上記第２流体袋を上記加減圧手段を用いて最高血圧以上に加圧した状態において、上記第１圧力検出手段で検出される上記第１流体袋の内圧変動の振幅を予め定めた値と比較することにより、上記選択された肢体の上記所定位置よりも末梢側の部分を含む位置に上記第２流体袋が巻き付けられているか否かを判断してもよい。
【００２８】
上記本発明に基づく血圧情報測定装置にあっては、上記判断手段が、上記第１流体袋および上記第２流体袋を上記加減圧手段を用いて加圧する過程において、上記第１圧力検出手段で検出される上記第１流体袋の内圧変動に含まれる振幅成分の振幅と、上記第２圧力検出手段で検出される上記第２流体袋の内圧変動に含まれる振幅成分の振幅との比を、予め定めた値と比較することにより、上記選択された肢体の上記所定位置よりも末梢側の部分を含む位置に上記第２流体袋が巻き付けられているか否かを判断してもよい。
【００２９】
上記本発明に基づく血圧情報測定装置にあっては、上記判断手段が、上記第１流体袋および上記第２流体袋を上記加減圧手段を用いて加圧する過程において、上記第１圧力検出手段で検出される上記第１流体袋の内圧変動と、上記第２圧力検出手段で検出される上記第２流体袋の内圧変動との相互相関を算出し、算出した相互相関を予め定めた値と比較することにより、上記選択された肢体の上記所定位置よりも末梢側の部分を含む位置に上記第２流体袋が巻き付けられているか否かを判断してもよい。
【００３０】
上記本発明に基づく血圧情報測定装置にあっては、上記制御手段が、上記判断手段が上記選択された肢体の上記所定位置よりも末梢側の部分を含む位置に上記第２流体袋が巻き付けられていないと判断した場合に、直ちに上記第１流体袋および上記第２流体袋を減圧するように上記加減圧手段の駆動を制御することが好ましい。
【００３１】
上記本発明に基づく血圧情報測定装置は、さらに、上記判断手段が上記選択された肢体の上記所定位置よりも末梢側の部分を含む位置に上記第２流体袋が巻き付けられていないと判断した場合に、これを報知する報知手段を備えていることが好ましい。
【００３２】
上記本発明に基づく血圧情報測定装置は、さらに、上記第２圧力検出手段にて検出された圧力情報に基づいて血圧値を取得する血圧値取得手段を備えていることが好ましい。
【００３３】
上記本発明に基づく血圧情報測定装置にあっては、上記第１流体袋および上記第２流体袋が、単一のカフに設けられていることが好ましい。その場合には、上記カフの装着状態において上記第２流体袋が被装着部位の実質的に全体にわたって巻き付けられるように、上記第２流体袋が上記第１流体袋の外側を覆っていてもよいし、上記カフの装着状態において上記第２流体袋が被装着部位の中枢側を除く部分にのみ巻き付けられるように、上記第２流体袋が上記カフの軸方向に沿って上記第１流体袋と並んで配置されていてもよい。
【００３４】
上記本発明に基づく血圧情報測定装置は、さらに、上記脈波取得手段にて取得された脈波に基づいて動脈硬化度を示す指標を算出する指標算出手段を備えていることが好ましい。
【００３５】
本発明に基づく血圧情報測定装置用カフの装着状態判別方法は、四肢のうちから選択されたいずれかの肢体の所定位置に巻き付けられるべき第１流体袋と、上記選択された肢体の上記所定位置よりも末梢側の部分を含む位置に巻き付けられるべき第２流体袋とを備えた血圧情報測定装置用カフの装着状態判別方法であって、上記第１流体袋の内圧および上記第２流体袋の内圧をそれぞれ検出するステップと、検出されたこれら圧力情報に基づいて、上記選択された肢体の上記所定位置よりも末梢側の部分を含む位置に前記第２流体袋が巻き付けられているか否かを判断するステップとを備えている。
【発明の効果】
【００３６】
本発明によれば、誤装着を認識することができ、これにより正しく脈波測定が行なえるように構成された血圧情報測定装置とすることができる。
【００３７】
また、本発明によれば、上記血圧情報測定装置に具備されるカフが正しく被装着部位に装着されているか否かを判別することを可能にする血圧情報測定装置用カフの装着状態判別方法を実現することができる。
【図面の簡単な説明】
【００３８】
【図１】本発明の実施の形態１における血圧情報測定装置の外観構造を示す斜視図である。
【図２】図１に示すカフを外周面側から見た場合の展開図である。
【図３】図１に示すカフを軸方向と直交する平面に沿って切断した場合の断面図である。
【図４】図１に示すカフを軸方向と平行な平面に沿って切断した場合の断面図である。
【図５】本発明の実施の形態１における血圧情報測定装置の機能ブロックの構成を示す図である。
【図６】本発明の実施の形態１における血圧情報測定装置の測定動作を示すフローチャートである。
【図７】図１に示すカフを正しく上腕に装着した装着状態を示す模式図である。
【図８】本発明の実施の形態１における血圧情報測定装置において、カフを正しく装着した場合の測定動作中における脈波測定用空気袋および血圧値測定用空気袋の圧力変化を示すグラフである。
【図９】本発明の実施の形態１における血圧情報測定装置において、カフを誤装着した場合の測定動作中における脈波測定用空気袋および血圧値測定用空気袋の圧力変化を示すグラフである。
【図１０】本発明の実施の形態１に基づいた第１変形例に係る血圧情報測定装置の機能ブロックの構成を示す図である。
【図１１】本発明の実施の形態１に基づいた第２変形例に係る血圧情報測定装置の機能ブロックの構成を示す図である。
【図１２】本発明の実施の形態１に基づいた第３変形例に係る血圧情報測定装置のカフを外周面側から見た場合の展開図である。
【図１３】本発明の実施の形態２における血圧情報測定装置の測定動作を示すフローチャートである。
【図１４】本発明の実施の形態２における血圧情報測定装置において、カフを正しく装着した場合の測定動作中における脈波測定用空気袋および血圧値測定用空気袋の圧力変化の振幅の変動を示すグラフである。
【図１５】本発明の実施の形態２における血圧情報測定装置において、カフを誤装着した場合の測定動作中における脈波測定用空気袋および血圧値測定用空気袋の圧力変化の振幅の変動を示すグラフである。
【発明を実施するための形態】
【００３９】
以下、本発明の実施の形態について、図を参照して詳細に説明する。以下に示す実施の形態においては、血圧情報測定装置として、最高血圧および最低血圧等の血圧値を取得してこれを表示する機能と、脈波を検出して動脈硬化度を示す指標を取得してこれを表示する機能とを兼ね備えた血圧情報測定装置を例示して説明を行なう。なお、以下に示す各実施の形態においては、同一または相当する部分について図中同一の符号を付し、その説明は繰り返さない。
【００４０】
（実施の形態１）
図１は、本発明の実施の形態１における血圧情報測定装置の外観構造を示す斜視図であり、図２は、図１に示すカフを外周面側から見た場合の展開図である。また、図３は、図１に示すカフを軸方向と直交する平面に沿って切断した場合の断面図であり、図４は、図１に示すカフを軸方向と平行な平面に沿って切断した場合の断面図である。ここで、図３に示す断面は、後述する脈波測定用空気袋を含まない部分における断面である。まず、これら図１ないし図４を参照して、本実施の形態における血圧情報測定装置１Ａの構成について説明する。
【００４１】
図１に示すように、本実施の形態における血圧情報測定装置１Ａは、本体１０と、カフ２０と、エア管７０とを備えている。本体１０は、箱状のケーシング１１を有しており、その上面に表示部４２および操作部４３が設けられている。本体１０は、測定時においてテーブル等の載置面に載置されて使用される。カフ２０は、被装着部位としての上腕に巻き付けが可能な帯状の形態を有しており、外装体としての外装カバー２１によって覆われている。カフ２０は、測定時において上腕に巻き付けられることで装着されて使用される。なお、エア管７０は、分離されて構成された本体１０とカフ２０とを接続しており、内部に２つの空気流路を含んだ可撓性を有するマルチチューブにて構成されている。
【００４２】
図２ないし図４に示すように、カフ２０は、上述した外装カバー２１と、第１流体袋としての小容量の脈波測定用空気袋２３と、第２流体袋としての大容量の血圧値測定用空気袋２４と、湾曲弾性板としてのカーラ２６と、振動遮断部材としてのクッション材２８とを主として備えている。
【００４３】
図１、図３および図４に示すように、外装カバー２１は、装着状態において上腕の表面に接触することとなる内側カバー２１ａと、装着状態において最も外側に位置することとなる外側カバー２１ｂとを重ね合わせてその周縁を接合（たとえば縫合や溶着等）することによって袋状に形成されている。外装カバー２１の内部空間には、脈波測定用空気袋２３、クッション材２８、血圧値測定用空気袋２４およびカーラ２６がこの順番で内側から順に積層されて収容されている。
【００４４】
図１ないし図３に示すように、外装カバー２１の長手方向の一方端寄りの外周面および他方端寄りの内周面には、それぞれ面ファスナ２９Ａ，２９Ｂが設けられている。ここで、面ファスナ２９Ａは、たとえばフックファスナからなり、面ファスナ２９Ｂは、たとえばループファスナからなる。これら面ファスナ２９Ａ，２９Ｂは、外装カバー２１が上腕に巻き付けられて当該外装カバー２１の上記一方端寄りの部分と上記他方端寄りの部分とが上腕の表面上において重ね合わされることにより係止する。これにより、カフ２０が、上腕に対して固定されて装着されることになる。すなわち、上記面ファスナ２９Ａ，２９Ｂは、カフ２０を上腕に装着する際の係止部に相当する。
【００４５】
外装カバー２１のうち、内側カバー２１ａとしては、脈波測定用空気袋２３および血圧値測定用空気袋２４の膨張によって上腕に加えられる圧迫力が当該内側カバー２１ａによって阻害されないように、十分に伸縮性に富んだ部材が好適に利用される。一方、外装カバー２１のうち、外側カバー２１ｂとしては、内側カバー２１ａに比して伸縮性に乏しい部材が利用される。このような観点から、外装カバー２１としては、伸縮性の大小を比較的容易に調整することができるポリアミド（ＰＡ）、ポリエステル等の合成繊維からなる布地等が利用される。
【００４６】
図４に示すように、脈波測定用空気袋２３は、好適には樹脂シートを用いて形成された袋状の部材からなり、装着状態において内側に位置することとなる内周部２３ａと、装着状態において外側に位置することとなる外周部２３ｂと、これら内周部２３ａおよび外周部２３ｂによって規定される内腔２３ｃとを有している。脈波測定用空気袋２３としては、たとえば２枚の樹脂シートを重ね合わせ、その周縁を溶着することによって袋状に形成されたものが利用できる。脈波測定用空気袋２３の内腔２３ｃは、上述したエア管７０の一方の空気流路を介して後述する加圧ポンプ３１Ａおよび排気弁３２Ａ（図５参照）に接続されており、これら加圧ポンプ３１Ａおよび排気弁３２Ａよってその加減圧が行なわれる。なお、上腕に加えられる圧迫力を適正化するために、脈波測定用空気袋２３としては、その幅方向の側部に襠が形成されてなるものを使用してもよい。
【００４７】
図３および図４に示すように、血圧値測定用空気袋２４は、好適には樹脂シートを用いて形成された袋状の部材からなり、装着状態において内側に位置することとなる内周部２４ａと、装着状態において外側に位置することとなる外周部２４ｂと、これら内周部２４ａおよび外周部２４ｂによって規定される内腔２４ｃとを有している。血圧値測定用空気袋２４としては、たとえば２枚の樹脂シートを重ね合わせ、その周縁を溶着することによって袋状に形成されたものが利用できる。血圧値測定用空気袋２４の内腔２４ｃは、上述したエア管７０の他方の空気流路を介して後述する加圧ポンプ３１Ｂおよび排気弁３２Ｂ（図５参照）に接続されており、これら加圧ポンプ３１Ｂおよび排気弁３２Ｂよってその加減圧が行なわれる。なお、上腕に加えられる圧迫力を適正化するために、血圧値測定用空気袋２４としては、その幅方向の側部に襠が形成されてなるものを使用してもよい。
【００４８】
なお、脈波測定用空気袋２３および血圧値測定用空気袋２４を構成する樹脂シートの材質としては、伸縮性に富んでおり溶着後において内腔からの漏気がないものであればどのようなものでも利用可能である。このような観点から、樹脂シートの好適な材質としては、エチレン−酢酸ビニル共重合体（ＥＶＡ）、軟質塩化ビニル（ＰＶＣ）、ポリウレタン（ＰＵ）、ポリアミド（ＰＡ）、生ゴム等が挙げられる。
【００４９】
図２および図４に示すように、血圧値測定用空気袋２４は、カフ２０の幅方向において実質的に全体にわたって位置するように配置されている。一方、脈波測定用空気袋２３は、カフ２０の幅方向における一端部側のみに位置するように配置されている。ここで、脈波測定用空気袋２３が配置された側のカフ２０の幅方向の上記一端部は、装着状態において中枢側に配置される端部であり、そのため脈波測定用空気袋２３は、装着状態において被装着部位である上腕の中枢側のみに巻き付けられることになる。一方、血圧値測定用空気袋２４は、装着状態において被装着部位である上腕の中枢側および末梢側を含む全体にわたって巻き付けられることになる。ここで、脈波測定用空気袋２３は、装着状態において血圧値測定用空気袋２４の内側に位置するように当該血圧値測定用空気袋２４に重ね合わせて配置されているため、血圧値測定用空気袋２４は、カフ２０の幅方向の上記一端部側において脈波測定用空気袋２３の外側を覆うことにもなる。
【００５０】
脈波測定用空気袋２３は、血圧値測定用空気袋２４よりも小容量であることが好ましく、より好適には、脈波測定用空気袋２３の空気容量は、血圧値測定用空気袋２４の空気容量の１／５以下とされる。一例として、脈波測定用空気袋２３の大きさは、２０ｍｍ×２００ｍｍ程度であり、血圧値測定用空気袋２４の大きさは、９０ｍｍ〜１０５ｍｍ×２００ｍｍ程度である。
【００５１】
図４に示すように、クッション材２８は、重ね合わされて配置された脈波測定用空気袋２３と血圧値測定用空気袋２４との間に配置されている。当該クッション材２８は、これら脈波測定用空気袋２３および血圧値測定用空気袋２４に生じる振動が相互に伝わないようにするためのものであり、たとえばウレタンシート等のスポンジ部材が好適に利用される。このクッション材２８の大きさは、脈波測定用空気袋２３と同じ大きさかあるいは脈波測定用空気袋２３よりも僅かに大きい大きさとされる。
【００５２】
図３および図４に示すように、カーラ２６は、環状に巻き回されることによって径方向に弾性変形可能に構成された可撓性の部材からなり、周方向の所定位置に軸方向に沿って延びる切れ目を有している。この切れ目により、カーラ２６は、外力が加えられることによって径方向に伸縮自在に弾性変形する。すなわち、外力が作用することによってカーラ２６は径方向に変形するが、外力の作用がなくなった場合には元の状態へと復元する。これにより、カーラ２６は、自身の環状形態を維持することによって上腕に沿うように構成されている。また、血圧値測定用空気袋２４は、カーラ２６の内周面に図示しない両面テープ等の接着部材を介して接着されて固定されている。このカーラ２６は、被験者自身によってカフ２０を上腕に装着し易くするためのものであるとともに、カフ２０の上腕への装着状態において血圧値測定用空気袋２４および脈波測定用空気袋２３を上腕側に向けて付勢するためのものである。なお、カーラ２６は、十分な弾性力を発現するように、たとえばポリプロピレン（ＰＰ）等の樹脂部材にて形成される。
【００５３】
図５は、本実施の形態における血圧情報測定装置の機能ブロックの構成を示す図である。次に、この図５を参照して、本実施の形態における血圧情報測定装置１Ａの機能ブロックの構成について説明する。
【００５４】
図５に示すように、本実施の形態における血圧情報測定装置１Ａは、上述した脈波測定用空気袋２３、血圧値測定用空気袋２４、表示部４２および操作部４３に加え、第１圧力検出手段としての圧力センサ３３Ａ、第２圧力検出手段としての圧力センサ３３Ｂ、加減圧手段３０Ａ，３０Ｂとしての加圧ポンプ３１Ａ，３１Ｂおよび排気弁３２Ａ，３２Ｂ、制御手段としてのＣＰＵ４０、記憶手段としてのメモリ部４１、および、ブザー４４を主として有している。
【００５５】
加減圧手段３０Ａとしての加圧ポンプ３１Ａおよび排気弁３２Ａは、脈波測定用空気袋２３を加減圧するためのものである。加圧ポンプ３１Ａは、ＣＰＵ４０からの指令を受けた加圧ポンプ駆動回路３６Ａによってその駆動が制御され、脈波測定用空気袋２３に圧縮空気を導入することで脈波測定用空気袋２３を加圧する。排気弁３２Ａは、ＣＰＵ４０からの指令を受けた排気弁駆動回路３７Ａによってその駆動が制御され、閉状態において脈波測定用空気袋２３の内圧を維持し、開状態において脈波測定用空気袋２３内の空気を排出することで脈波測定用空気袋２３を減圧する。
【００５６】
圧力センサ３３Ａは、脈波測定用空気袋２３の内圧を検出するためのものである。圧力センサ３３Ａは、脈波測定用空気袋２３の内圧を検出し、検出した内圧に応じた信号を増幅器３８Ａに対して出力する。増幅器３８Ａは、圧力センサ３３Ａから入力された信号を増幅し、増幅後の信号をＡ／Ｄ（Analog/Digital）変換器３９Ａに対して出力する。Ａ／Ｄ変換器３９Ａは、増幅器３８Ａから入力された増幅後の信号をアナログ信号からデジタル信号に変換し、変換後のデジタル信号をＣＰＵ４０に対して出力する。
【００５７】
加減圧手段３０Ｂとしての加圧ポンプ３１Ｂおよび排気弁３２Ｂは、血圧値測定用空気袋２４を加減圧するためのものである。加圧ポンプ３１Ｂは、ＣＰＵ４０からの指令を受けた加圧ポンプ駆動回路３６Ｂによってその駆動が制御され、血圧値測定用空気袋２４に圧縮空気を導入することで血圧値測定用空気袋２４を加圧する。排気弁３２Ｂは、ＣＰＵ４０からの指令を受けた排気弁駆動回路３７Ｂによってその駆動が制御され、閉状態において血圧値測定用空気袋２４の内圧を維持し、開状態において血圧値測定用空気袋２４内の空気を排出することで血圧値測定用空気袋２４を減圧する。
【００５８】
圧力センサ３３Ｂは、血圧値測定用空気袋２４の内圧を検出するためのものである。圧力センサ３３Ｂは、血圧値測定用空気袋２４の内圧を検出し、検出した内圧に応じた信号を増幅器３８Ｂに対して出力する。増幅器３８Ｂは、圧力センサ３３Ｂから入力された信号を増幅し、増幅後の信号をＡ／Ｄ変換器３９Ｂに対して出力する。Ａ／Ｄ変換器３９Ｂは、増幅器３８Ｂから入力された増幅後の信号をアナログ信号からデジタル信号に変換し、変換後のデジタル信号をＣＰＵ４０に対して出力する。
【００５９】
操作部４３は、使用者の操作を受け付けてこれをＣＰＵ４０に対して出力するためのものであり、たとえば押しボタン等によって構成される。表示部４２は、血圧情報測定装置１Ａの動作状態を表示したり、測定後においてＣＰＵ４０から出力される血圧値の測定結果および動脈硬化度を示す指標の測定結果等の情報を表示したりするためのものであり、たとえばＬＣＤ（Liquid Crystal Display）にて構成される。また、表示部４２は、カフ２０が上腕に正しく装着されていない場合に、警告マーク等を表示することでこれを報知する報知手段としても機能する。
【００６０】
メモリ部４１は、ＣＰＵ４０で実行されるプログラムを記憶したり、上記測定結果等の情報を記憶したりするためのものであり、たとえばＲＡＭ（Random-Access Memory）やＲＯＭ（Read-Only Memory）等によって構成される。ブザー４４は、カフ２０が上腕に正しく装着されていない場合に、警告音等を発することでこれを報知する報知手段として機能する。
【００６１】
ＣＰＵ４０は、血圧情報測定装置１Ａの全体の動作を制御するものであり、操作部４３およびメモリ部４１からの入力を受け付けたり、表示部４２およびメモリ部４１に対して各種情報を出力したりする。また、ＣＰＵ４０は、圧力センサ３３Ａ，３３Ｂにて検出された圧力情報の入力を受け付けたり、加圧ポンプ３１Ａ，３１Ｂおよび排気弁３２Ａ，３２Ｂを駆動するための信号を生成してこれを出力したりする。
【００６２】
また、ＣＰＵ４０は、圧力センサ３３Ｂから入力された圧力の情報に基づいて血圧値を算出して取得する血圧値取得手段として機能するとともに、圧力センサ３３Ａから入力された圧力情報に基づいて脈波を検出して取得する脈波取得手段として機能する。加えて、ＣＰＵ４０は、取得した脈波に基づいて動脈硬化度を示す指標を算出する指標算出手段としても機能する。
【００６３】
ここで、ＣＰＵ４０にて血圧値を算出する具体的な手法については、既知のオシロメトリック方式の血圧値算出手法等が適用できるため、その説明はここでは省略する。また、ＣＰＵ４０にて動脈硬化度を示す指標を算出する具体的な手法としては、得られた脈波波形のＴｒ（traveling time to reflected wave：ΔＴｐとも表わされる）に基づいて算出する手法、得られた脈波波形のＡＩ（Augmentation Index）に基づいて算出する手法等、既知の手法が適用できるため、その説明はここでは省略する。
【００６４】
さらに、ＣＰＵ４０は、圧力センサ３３Ａ，３３Ｂから入力された圧力情報に基づいてカフが正しく装着されているか否かを判断する判断手段としても機能する。加えて、ＣＰＵ４０は、カフ２０が正しく装着されていない場合に、これを被験者等に対して報知する上述した報知手段としての表示部４２およびブザー４４の動作を制御する機能も合わせ備えている。
【００６５】
図６は、本実施の形態における血圧情報測定装置の測定動作を示すフローチャートである。このフローチャートに示す測定動作を実行するためのプログラムは、図５に示したメモリ部４１に予め記憶されているものであり、ＣＰＵ４０がメモリ部４１からこのプログラムを読み出して実行することにより当該フローチャートに示す測定動作が実現される。また、図７は、図１に示すカフを正しく上腕に装着した装着状態を示す模式図である。さらに、図８および図９は、本実施の形態における血圧情報測定装置の測定動作中における脈波測定用空気袋および血圧値測定用空気袋の圧力変化を示すグラフであり、図８は、カフが正しく装着された場合を示しており、図９は、カフが誤装着された場合を示している。ここで、図８（Ａ）および図９（Ａ）は、脈波測定用空気袋２３の内腔２３ｃの圧力（内圧Ｐ１）の経時的な変化を示しており、図８（Ｂ）および図９（Ｂ）は、血圧値測定用空気袋２４の内腔２４ｃの圧力（内圧Ｐ２）の経時的な変化を示している。次に、これら図６ないし図９を参照して、本実施の形態における血圧情報測定装置１Ａの測定動作、カフ２０の装着状態、脈波測定用空気袋２３および血圧値測定用空気袋２４の測定動作中における圧力変化、本実施の形態における血圧情報測定装置用カフの装着状態判別方法等について説明する。
【００６６】
本実施の形態における血圧情報測定装置１Ａを使用して各種血圧情報を測定するに際しては、まず、図７に示すように、カフ２０を被験者の左手１００の上腕１０１に装着する。なお、図７においては、カフ２０が正しく上腕に装着された場合を示しており、この場合には、脈波測定用空気袋２３がカフ２０の被装着部位の中枢側に位置し、血圧値測定用空気袋２４が脈波測定用空気袋２３が装着された位置よりも末梢側を含む部分に装着されている。一方、カフ２０が誤装着された場合には、脈波測定用空気袋２３がカフ２０の被装着部位の末梢側に位置し、血圧値測定用空気袋２４が脈波測定用空気袋２３が装着された位置よりも末梢側を含む部分に装着されない（すなわち、血圧値測定用空気袋２４が脈波測定用空気袋２３が装着された位置よりも中枢側を含む部分に装着される）ことになる。
【００６７】
次に、本体１０の操作部４３を被験者等が操作することにより、血圧情報測定装置１Ａが測定動作を開始する。
【００６８】
図６に示すように、測定動作の開始の指令をＣＰＵ４０が受け付けると、ＣＰＵ４０は、各部の初期化を行なう（ステップＳ１０１）。具体的には、ＣＰＵ４０は、排気弁３２Ａおよび排気弁３２Ｂを閉塞する。
【００６９】
次に、ＣＰＵ４０は、加圧ポンプ３１Ｂを駆動することにより、血圧値測定用空気袋２４の加圧を開始する（ステップＳ１０２）。これにより、図８（Ｂ）に示すように、血圧値測定用空気袋２４の内圧Ｐ２は、加圧ポンプ３１Ｂを駆動させた時刻ｔ１において上昇を始めることになる。なお、図８（Ａ）に示すように、当該時刻ｔ１の経過後においても、脈波測定用空気袋２３の内圧Ｐ１は変化しない。この血圧値測定用空気袋２４の加圧過程において、ＣＰＵ４０は、最高血圧（ＳＹＳ）および最低血圧（ＤＩＡ）等の血圧値を算出するための圧力情報を取得する。具体的には、ＣＰＵ４０は、圧力センサ３３Ｂから入力される圧力信号に基づいて当該圧力情報を取得する。
【００７０】
次に、図６に示すように、ＣＰＵ４０は、血圧値の測定が終了したか否かを判断し（ステップＳ１０３）、血圧値の測定が終了したと判断した場合（ステップＳ１０３においてＹＥＳの場合）に、脈波測定用空気袋２３の加圧を開始する（ステップＳ１０４）。具体的には、ＣＰＵ４０は、加圧ポンプ３１Ｂの駆動を停止し、加圧ポンプ３１Ａを駆動する。これにより、図８（Ｂ）に示すように、脈波測定用空気袋２３の内圧Ｐ１は、加圧ポンプ３１Ａを駆動させた時刻ｔ２において上昇を始める。なお、図８（Ｂ）に示すように、血圧値測定用空気袋２４の内圧Ｐ２は、時刻ｔ２以降においても最高血圧よりも高い圧力に維持されているため、当該血圧値測定用空気袋２４が巻き付けられた上腕の被装着部位において動脈が阻血された状態が維持されることになる。
【００７１】
次に、図６に示すように、ＣＰＵ４０は、脈波測定用空気袋２３の加圧が終了したか否かを判断し（ステップＳ１０５）、加圧が終了したと判断した場合（ステップＳ１０５においてＹＥＳの場合）に、脈波の測定を開始する（ステップＳ１０６）。具体的には、ＣＰＵ４０は、圧力センサ３３Ａから入力される圧力信号に基づいて脈波測定用空気袋２３の内圧Ｐ１が最高血圧よりも高い圧力になった場合に当該脈波測定用空気袋２３の加圧を完了し、加圧ポンプ３１Ａの駆動を停止する。これにより、図８（Ａ）および図８（Ｂ）に示すように、脈波測定用空気袋２３の内圧Ｐ１および血圧値測定用空気袋２４の内圧Ｐ２は、加圧ポンプ３１Ａの駆動を停止した時刻ｔ３においてそれぞれ最高血圧よりも高い圧力に維持され、当該時刻ｔ３以降において、阻血された動脈の中枢側端部に隣接する部分の動脈から皮下組織を介して伝播された脈波が、小容量の脈波測定用空気袋２３において鋭敏に観察されるようになる。この時刻ｔ３以降において、ＣＰＵ４０は、圧力センサ３３Ａから入力される圧力情報に基づいて脈波を取得する。
【００７２】
次に、図６に示すように、ＣＰＵ４０は、所定時間経過後（たとえば数秒〜十数秒程度経過後、すなわち図８および図９に示す時刻ｔ４）、圧力センサ３３Ａから入力される圧力情報に基づいて脈波測定用空気袋２３の内圧Ｐ１の変動の振幅を予め定めた値と比較する（ステップＳ１０７）。より詳細には、たとえば図６に示すように、ＣＰＵ４０は、当該振幅が予め定めた所定値以上であるか否かを判断する。ここで、圧力センサ３３Ａから入力される圧力情報に基づいて脈波測定用空気袋２３の内圧Ｐ１の変動の振幅が予め定めた所定値以上であるか否かを判断する上記ステップＳ１０７は、脈波測定用空気袋２３がカフ２０の被装着部位の中枢側に位置し、血圧値測定用空気袋２４が脈波測定用空気袋２３が装着された位置よりも末梢側を含む部分に装着されているか否か（すなわち、カフ２０が正しく上腕に装着されているか否か）を判断するステップに相当する。なお、上記判断ステップにおいては、血圧値測定用空気袋２４の内圧Ｐ２が最高血圧よりも高い圧力に維持されていることが前提条件として必要であり、ＣＰＵ４０は、当該前提条件が充足されているかを圧力センサ３３Ｂから入力される圧力情報に基づいて監視する。
【００７３】
これは、カフ２０が正しく上腕に装着されている場合には、血圧値測定用空気袋２４によって阻血された動脈の中枢側端部近傍に脈波測定用空気袋２３が位置していることになり、脈波が、阻血された動脈の中枢側端部に隣接する部分の動脈から皮下組織を介して脈波測定用空気袋２３に伝播されて、脈波測定用空気袋２３の内圧Ｐ１の変動として感度よく観察され（図８（Ａ）に示す時刻ｔ３から時刻ｔ４までの区間参照）、その結果、当該内圧Ｐ１の振幅が脈波測定に適した大きな振幅を有するものとなるためである。
【００７４】
これに対し、カフ２０が誤装着されている場合には、血圧値測定用空気袋２４によって阻血された動脈の末梢側端部近傍に脈波測定用空気袋２３が位置していることになり、当該脈波測定用空気袋２３が位置する部分近傍の動脈にて脈波が生じず、そのため脈波測定用空気袋２３の内圧Ｐ１の変動として脈波が感度よく観察されず（図９（Ａ）に示す時刻ｔ３から時刻ｔ４までの区間参照）、その結果、当該内圧Ｐ１の振幅が脈波測定に適した大きな振幅を有するものとはならないためである。
【００７５】
図６に示すように、上記内圧Ｐ１の変動の振幅が予め定めた所定値以上であると判断した場合（ステップＳ１０７においてＹＥＳの場合）には、ＣＰＵ４０は、脈波の測定を継続して行なう。その後、ＣＰＵ４０は、脈波の測定が終了したか否かを判断し（ステップＳ１０８）、脈波の測定が終了したと判断した場合（ステップＳ１０８においてＹＥＳの場合）に、血圧値の算出および脈波解析を行なう（ステップＳ１０９）。具体的には、ＣＰＵ４０は、取得した上記圧力情報および上記脈波に基づいて、最高血圧（ＳＹＳ）、最低血圧（ＤＩＡ）および動脈硬化度を示す指標をそれぞれ算出する。
【００７６】
次に、ＣＰＵ４０は、結果の表示を行なう（ステップＳ１１０）。具体的には、ＣＰＵ４０は、算出した最高血圧、最低血圧および動脈硬化度を示す指標をメモリ部４１および表示部４２に対して出力し、メモリ部４１はこれを記憶し、表示部４２はこれに基づいて測定結果を表示する。
【００７７】
次に、ＣＰＵ４０は、停止動作に移行する（ステップＳ１１１）。具体的には、ＣＰＵ４０は、排気弁３２Ａおよび排気弁３２Ｂを開放する。これにより、図８（Ａ）および図８（Ｂ）に示すように、脈波測定用空気袋２３の内圧Ｐ１および血圧値測定用空気袋２４の内圧Ｐ２は、排気弁３２Ｂを開放した時刻ｔ５においてそれぞれ下降を始め、大気圧に復帰する。当該動作の後、被験者は、カフ２０から上腕を引き抜く。以上により、一連の測定動作は終了し、本実施の形態における血圧情報測定装置１Ａを使用しての各種血圧情報の測定が完了する。
【００７８】
一方、図６に示すように、上記内圧Ｐ１の変動の振幅が予め定めた所定値未満であると判断した場合（ステップＳ１０７においてＮＯの場合）には、ＣＰＵ４０は、エラー報知を行なう（ステップＳ１１２）。具体的には、ＣＰＵ４０は、表示部４２に対して警告マーク等の表示を指令する信号を出力するとともに、ブザー４４に対して警告音等の発生を指令する信号を出力する。これに基づき、ブザー４４が鳴動することによって警告音等が発せられるとともに、表示部４２において警告マーク等が表示されることになり、カフ２０が誤装着されていることが被験者等に報知される。なお、エラー報知を行なった後は、ＣＰＵ４０は、直ちに上記ステップＳ１１１に移行し、一連の動作を終了する。
【００７９】
以上において説明した本実施の形態における血圧情報測定装置１Ａとすることにより、また本実施の形態における血圧情報測定装置用カフの装着状態判別方法を採用することにより、カフ２０の向きを誤って装着した場合にこれが当該装置よって認識できるようになる。したがって、カフ２０が誤装着されていることを被験者等に報知することが可能になり、カフ２０が正しく装着されるように促すことができる。また、カフ２０が誤装着されている場合に、その後の測定動作を直ちに中止することも可能になり、必要以上に動脈を阻血した状態が維持されることがなくなるため、被験者に苦痛を与えることも回避できる。したがって、本実施の形態の如くの血圧情報測定装置１Ａとすることにより、また本実施の形態における血圧情報測定装置用カフの装着状態判別方法を採用することにより、正しく脈波測定が行なえるようになる。
【００８０】
図１０は、本実施の形態に基づいた第１変形例に係る血圧情報測定装置の機能ブロックの構成を示す図である。次に、この図１０を参照して、本変形例に係る血圧情報測定装置１Ｂについて説明する。
【００８１】
図１０に示すように、本変形例に係る血圧情報測定装置１Ｂは、脈波測定用空気袋２３および血圧値測定用空気袋２４を加減圧する加減圧手段を１つの加減圧手段３０Ｂに共通化させたものである。すなわち、上述した本実施の形態における血圧情報測定装置１Ａにあっては、脈波測定用空気袋２３を加減圧する加減圧手段３０Ａとして加圧ポンプ３１Ａおよび排気弁３２Ａを設けるとともに、血圧値測定用空気袋２４を加減圧する加減圧手段３０Ｂとして加圧ポンプ３１Ｂおよび排気弁３２Ｂを設け、これら加減圧手段３０Ａおよび加減圧手段３０Ｂをそれぞれ独立してＣＰＵ４０にて制御するように構成していたが、本変形例に係る血圧情報測定装置１Ｂにあっては、このうちの加減圧手段３０Ａを廃止し、代わりに加減圧手段３０Ｂに血圧値測定用空気袋２４に加えて脈波測定用空気袋２３をも接続し、ＣＰＵ４０にてこの１つの加減圧手段３０Ｂを制御することにより、脈波測定用空気袋２３および血圧値測定用空気袋２４両方の加減圧を行なうように構成している。
【００８２】
具体的には、本変形例に係る血圧情報測定装置１Ｂにあっては、血圧値測定用空気袋２４と加減圧手段３０Ｂとを接続するエア管７１に、当該エア管７１から分岐する分岐エア管７２が設けられ、当該分岐エア管７２に脈波測定用空気袋２３および圧力センサ３３Ａが接続されている。また、当該分岐エア管７２の所定位置には、２ポート弁５０が設けられている。また、本変形例に係る血圧情報測定装置１Ｂにあっては、上記２ポート弁５０の動作を制御する２ポート弁駆動回路５１が別途設けられている。
【００８３】
ここで、２ポート弁５０は、ＣＰＵ４０からの指令を受けた２ポート弁駆動回路５１によってその駆動が制御され、開状態においてエア管７１と脈波測定用空気袋２３とを連通させ、閉状態においてエア管７１と脈波測定用空気袋２３とを非連通にして脈波測定用空気袋２３の内圧を維持する。なお、本変形例に係る血圧情報測定装置１Ｂにあっては、加減圧手段３０Ａが廃止されたことに伴い、加圧ポンプ駆動回路３６Ａおよび排気弁駆動回路３７Ａも設けられていない。
【００８４】
当該血圧情報測定装置１Ｂにあっては、２ポート弁５０を上記開状態に切り換えて脈波測定用空気袋２３および血圧値測定用空気袋２４の加圧が行なわれ、当該加圧過程において血圧値の測定を行ない、その後２ポート弁５０を上記閉状態に切り換えて脈波測定が行なわれる。この脈波測定の際に、上述したカフ２０が正しく装着されているか否かの判断が行なわれる。
【００８５】
以上において説明した本変形例に係る血圧情報測定装置１Ｂとした場合には、上述した本実施の形態における血圧情報測定装置１Ａとした場合に得られる効果と同様の効果が得られるばかりでなく、装置構成が簡素化でき、これにより低コストにかつ小型に構成できる血圧情報測定装置とすることができる。
【００８６】
図１１は、本実施の形態に基づいた第２変形例に係る血圧情報測定装置の機能ブロックの構成を示す図である。次に、この図１１を参照して、本変形例に係る血圧情報測定装置１Ｃについて説明する。
【００８７】
図１１に示すように、本変形例に係る血圧情報測定装置１Ｃは、上述した第１変形例に係る血圧情報測定装置１Ｂにおいて分岐エア管７２に設けられていた２ポート弁５０を、３ポート弁５２に変更したものである。その場合、３ポート弁５２の配置位置は、エア管７１と分岐エア管７２の接続点とされる。３ポート弁５２は、ＣＰＵ４０からの指令を受けた３ポート弁駆動回路５３によってその駆動が制御される。
【００８８】
ここで、３ポート弁５２は、第１状態において、エア管７１の３ポート弁５２が設けられた位置よりも加減圧手段３０Ｂ側の部分と分岐エア管７２とのみを接続して加減圧手段３０Ｂと脈波測定用空気袋２３とを連通させ、第２状態において、エア管７１の３ポート弁５２が設けられた位置よりも加減圧手段３０Ｂ側の部分とエア管７１の３ポート弁５２が設けられた位置よりも血圧値測定用空気袋２４側の部分とのみを接続して加減圧手段３０Ｂと血圧値測定用空気袋２４とを連通させて、エア管７１と脈波測定用空気袋２３とを非連通にして脈波測定用空気袋２３の内圧を維持するように構成されてもよい。その場合には、３ポート弁５２を上記第２状態に切り換えて血圧測定を行い、血圧測定の終了後において３ポート弁５２を上記第１状態に切り換えて加減圧手段３０Ｂを用いて脈波測定用空気袋２３の加圧を行い、その後３ポート弁５２を上記第２状態に再び切り換えて脈波測定を行なう。この脈波測定の際に、上述したカフ２０が正しく装着されているか否かの判断が行なわれる。
【００８９】
また、上記に代えて、３ポート弁５２は、第１状態において、エア管７１の３ポート弁５２が設けられた位置よりも血圧値測定用空気袋２４側の部分と分岐エア管７２とのみを接続して脈波測定用空気袋２３と血圧値測定用空気袋２４とを連通させ、第２状態において、エア管７１の３ポート弁５２が設けられた位置よりも加減圧手段３０Ｂ側の部分とエア管７１の３ポート弁５２が設けられた位置よりも血圧値測定用空気袋２４側の部分とのみを接続して加減圧手段３０Ｂと血圧値測定用空気袋２４とを連通させて、エア管７１と脈波測定用空気袋２３とを非連通にして脈波測定用空気袋２３の内圧を維持するように構成されてもよい。その場合には、３ポート弁５２を上記第２状態に切り換えて血圧測定を行い、血圧測定の終了後において３ポート弁５２を上記第１状態に切り換えて血圧値測定用空気袋２４内の空気を脈波測定用空気袋２３に移動させて圧平衡を図ることで脈波測定用空気袋２３の加圧を行い、その後３ポート弁５２を上記第２状態に再び切り換えて脈波測定を行なう。この脈波測定の際に、上述したカフ２０が正しく装着されているか否かの判断が行なわれる。
【００９０】
以上において説明した本変形例に係る血圧情報測定装置１Ｃとした場合にも、上述した第１変形例に係る血圧情報測定装置１Ｂとした場合と同様の効果を得ることができる。
【００９１】
図１２は、本発明の実施の形態１に基づいた第３変形例に係る血圧情報測定装置のカフを外周面側から見た場合の展開図である。次に、この図１２を参照して、本変形例に係る血圧情報測定装置について説明する。
【００９２】
図１２に示すように、本変形例に係る血圧情報測定装置は、カフ２０に内包される脈波測定用空気袋２３および血圧値測定用空気袋２４の配置位置において、上述した本実施の形態における血圧情報測定装置１Ａのそれと相違している。具体的には、本変形例に係る血圧情報測定装置にあっては、脈波測定用空気袋２３は、カフ２０の幅方向における一端部側のみに位置するように配置されており、血圧値測定用空気袋２４は、カフ２０の幅方向における他端部側のみに位置するように配置されている。すなわち、脈波測定用空気袋２３および血圧値測定用空気袋２４は、カフ２０の幅方向（装着状態における軸方向に相当）に沿って並んで配置されている。
【００９３】
ここで、脈波測定用空気袋２３が配置された側のカフ２０の幅方向の上記一端部は、装着状態において中枢側に配置される端部であり、そのため脈波測定用空気袋２３は、装着状態において被装着部位である上腕の中枢側のみに巻き付けられることになる。一方、血圧値測定用空気袋２４が配置された側のカフ２０の幅方向の上記他端部は、装着状態において末梢側に配置される端部であり、そのため血圧値測定用空気袋２４は、装着状態において被装着部位である上腕の末梢側のみに巻き付けられることになる。
【００９４】
これにより、本変形例に係る血圧情報測定装置にあっては、血圧値測定用空気袋２４のみならず脈波測定用空気袋２３も、装着状態においてその外側に位置することとなるカーラ２６に接着固定される。なお、本変形例に係る血圧情報測定装置にあっては、上述した本実施の形態における血圧情報測定装置１Ａにおいて具備されていた振動遮断部材としてのクッション材２８は不要である。
【００９５】
以上において説明した本変形例に係る血圧情報測定装置とした場合にも、上述した本実施の形態における血圧情報測定装置１Ａとした場合と同様の効果を得ることができる。
【００９６】
（実施の形態２）
図１３は、本発明の実施の形態２における血圧情報測定装置の測定動作を示すフローチャートである。また、図１４は、本実施の形態における血圧情報測定装置において、カフを正しく装着した場合の測定動作中における脈波測定用空気袋および血圧値測定用空気袋の圧力変化の振幅の変動を示すグラフであり、図１５は、誤装着した場合の測定動作中における脈波測定用空気袋および血圧値測定用空気袋の圧力変化の振幅の変動を示すグラフである。ここで、図１４（Ａ）および図１５（Ａ）は、脈波測定用空気袋２３の内腔２３ｃの圧力（内圧Ｐ１）の経時的な変化を示しており、図１４（Ｂ）および図１５（Ｂ）は、血圧値測定用空気袋２４の内腔２４ｃの圧力（内圧Ｐ２）の経時的な変化を示している。以下においては、これら図１３ないし図１５を参照して、本実施の形態における血圧情報測定装置の測定動作、脈波測定用空気袋２３および血圧値測定用空気袋２４の測定動作中における圧力変化、本実施の形態における血圧情報測定装置用カフの装着状態判別方法等について説明する。
【００９７】
本実施の形態における血圧情報測定装置は、上述した本発明の実施の形態１における血圧情報測定装置１Ａとその構成において共通しており、測定動作においてのみ異なっている。図１３に表したフローチャートに示す測定動作を実行するためのプログラムは、メモリ部４１に予め記憶されているものであり、ＣＰＵ４０がメモリ部４１からこのプログラムを読み出して実行することにより当該フローチャートに示す測定動作が実現される。なお、上述した本発明の実施の形態１における血圧情報測定装置１Ａにおいては、血圧測定が終了した後に脈波測定用空気袋２３を加圧するようにその測定動作が制御されていたが、本実施の形態における血圧情報測定装置にあっては、血圧値測定用空気袋２４の加圧と同時に脈波測定用空気袋２３の加圧が行なわれるようにその測定動作が制御され、かつ当該加圧過程においてカフ２０が正しく装着されているか否かの判断を行なう。
【００９８】
本実施の形態における血圧情報測定装置を使用して各種血圧情報を測定するに際しては、まず、カフ２０を被験者の左手１００の上腕１０１に装着する。次に、本体１０の操作部４３を被験者等が操作することにより、血圧情報測定装置が測定動作を開始する。
【００９９】
図１３に示すように、測定動作の開始の指令をＣＰＵ４０が受け付けると、ＣＰＵ４０は、各部の初期化を行なう（ステップＳ２０１）。具体的には、ＣＰＵ４０は、排気弁３２Ａおよび排気弁３２Ｂを閉塞する。
【０１００】
次に、ＣＰＵ４０は、加圧ポンプ３１Ａおよび加圧ポンプ３１Ｂを駆動することにより、脈波測定用空気袋２３および血圧値測定用空気袋２４の加圧を開始する（ステップＳ２０２）。これにより、図１４および図１５に示すように、脈波測定用空気袋２３の内圧Ｐ１および血圧値測定用空気袋２４の内圧Ｐ２は、加圧ポンプ３１Ａおよび加圧ポンプ３１Ｂを駆動させた時刻ｔ１１においてそれぞれ上昇を始めることになる。
【０１０１】
次に、図１３に示すように、ＣＰＵ４０は、圧力センサ３３Ａから入力される圧力情報と圧力センサ３３Ｂから入力される圧力情報とに基づいて脈波測定用空気袋２３の内圧Ｐ１の変動と血圧値測定用空気袋２４の内圧Ｐ２の変動との相互相関を算出し、算出した相互相関を予め定めた値と比較する（ステップＳ２０３）。より詳細には、たとえば図１３に示すように、ＣＰＵ４０は、当該相互相関が予め定めた所定値以上であるか否かを判断する。さらに具体的には、図１４および図１５に示すように、ＣＰＵ４０は、上記ステップＳ２０３において、圧力センサ３３Ａから入力される圧力情報に基づいて脈波測定用空気袋２３の内圧Ｐ１の振幅成分を抽出してその包絡線Ａ１を取得するとともに、圧力センサ３３Ｂから入力される圧力情報に基づいて血圧値測定用空気袋２４の内圧Ｐ２の振幅成分を抽出してその包絡線Ａ２を取得し、これら取得した包絡線Ａ１および包絡線Ａ２の相互相関を算出し、算出した相互相関が予め定めた値以上であるか否かを判断する。
【０１０２】
ここで、圧力センサ３３Ａおよび圧力センサ３３Ｂから入力される圧力情報に基づいて脈波測定用空気袋２３の内圧Ｐ１の変動と血圧値測定用空気袋２４の内圧Ｐ２の変動との相互相関を算出し、算出した相互相関が予め定めた値以上であるか否かを判断する上記ステップＳ２０３は、脈波測定用空気袋２３がカフ２０の被装着部位の中枢側に位置し、血圧値測定用空気袋２４が脈波測定用空気袋２３が装着された位置よりも末梢側を含む部分に装着されているか否か（すなわち、カフ２０が正しく上腕に装着されているか否か）を判断するステップに相当する。
【０１０３】
これは、カフ２０が正しく上腕に装着されている場合には、脈波測定用空気袋２３と血圧値測定用空気袋２４とが一体となってカフ２０が装着された部分の動脈が徐々に阻血されていくため、上記包絡線Ａ１および包絡線Ａ２がほぼ相似形となり高い相互相関が得られるのに対し、カフ２０が誤装着されている場合には、脈波測定用空気袋２３よりも中枢側に位置する血圧値測定用空気袋２４によって先に動脈が阻血されて当該阻血後において脈波測定用空気袋２３に脈波が伝播しなくなるため、上記包絡線Ａ１および包絡線Ａ２が非相似形となり低い相互相関しか得られないためである。すなわち、カフ２０を誤装着している場合には、図１５に示すように、血圧値測定用空気袋２４によって動脈が阻血される時刻ｔ１２において脈波測定用空気袋２３の内圧Ｐ１の変動の振幅成分はその上昇率が大きく減衰しはじめ、その後下降に転じ、ほぼ振幅成分がなくなった状態となるため、相互相関が大幅に低下する。したがって、当該相互相関に基づき、カフ２０が正しく装着されているか否かを判断することが可能になる。ここで、上述した相互相関の閾値としては、たとえば０．５〜０．８程度の値を採用することが好ましい。
【０１０４】
なお、上述したステップＳ２０３の処理と並行して、ＣＰＵ４０は、この脈波測定用空気袋２３および血圧値測定用空気袋２４の加圧過程において、最高血圧および最低血圧等の血圧値を算出するための圧力情報を取得する。具体的には、ＣＰＵ４０は、圧力センサ３３Ｂから入力される圧力信号に基づいて当該圧力情報を取得する。
【０１０５】
図１３に示すように、上記算出した相互相関が予め定めた値以上であると判断した場合（ステップＳ２０３においてＹＥＳの場合）には、ＣＰＵ４０は、血圧値の測定が終了したか否かを判断し（ステップＳ２０４）、血圧値の測定が終了したと判断した場合（ステップＳ２０４においてＹＥＳの場合）に、脈波の測定を開始する（ステップＳ２０５）。具体的には、ＣＰＵ４０は、加圧ポンプ３１Ａおよび加圧ポンプ３１Ｂの駆動を停止し、圧力センサ３３Ａから入力される圧力情報に基づいて脈波を取得する。当該状態においては、脈波測定用空気袋２３の内圧Ｐ１および血圧値測定用空気袋２４の内圧Ｐ２がそれぞれ最高血圧よりも高い圧力に維持されており、阻血された動脈の中枢側端部に隣接する部分の動脈から皮下組織を介して伝播された脈波が、小容量の脈波測定用空気袋２３において鋭敏に観察されるようになる。
【０１０６】
次に、ＣＰＵ４０は、脈波の測定が終了したか否かを判断し（ステップＳ２０６）、脈波の測定が終了したと判断した場合（ステップＳ２０６においてＹＥＳの場合）に、血圧値の算出および脈波解析を行なう（ステップＳ２０７）。具体的には、ＣＰＵ４０は、取得した上記圧力情報および上記脈波に基づいて、最高血圧、最低血圧および動脈硬化度を示す指標をそれぞれ算出する。
【０１０７】
次に、ＣＰＵ４０は、結果の表示を行なう（ステップＳ２０８）。具体的には、ＣＰＵ４０は、算出した最高血圧、最低血圧および動脈硬化度を示す指標をメモリ部４１および表示部４２に対して出力し、メモリ部４１はこれを記憶し、表示部４２はこれに基づいて測定結果を表示する。
【０１０８】
次に、ＣＰＵ４０は、停止動作に移行する（ステップＳ２０９）。具体的には、ＣＰＵ４０は、排気弁３２Ａおよび排気弁３２Ｂを開放する。これにより、脈波測定用空気袋２３および血圧値測定用空気袋２４は、大気圧に復帰する。当該動作の後、被験者は、カフ２０から上腕を引き抜く。以上により、一連の測定動作は終了し、本実施の形態における血圧情報測定装置を使用しての各種血圧情報の測定が完了する。
【０１０９】
一方、上記算出した相互相関が予め定めた値未満であると判断した場合（ステップＳ２０３においてＮＯの場合）には、ＣＰＵ４０は、エラー報知を行なう（ステップＳ２１０）。具体的には、ＣＰＵ４０は、表示部４２に対して警告マーク等の表示を指令する信号を出力するとともに、ブザー４４に対して警告音等の発生を指令する信号を出力する。これに基づき、ブザー４４が鳴動することによって警告音等が発せられるとともに、表示部４２において警告マーク等が表示されることになり、カフ２０が誤装着されていることが被験者等に報知される。なお、エラー報知を行なった後は、ＣＰＵ４０は、直ちに上記ステップＳ２１１に移行し、一連の動作を終了する。
【０１１０】
以上において説明した本実施の形態における血圧情報測定装置とすることにより、また本実施の形態における血圧情報測定装置用カフの装着状態判別方法を採用することにより、上述した本発明の実施の形態１の場合と同様の効果が得られるばかりでなく、誤装着があった場合にさらに迅速に（測定開始からより早期に）これを被験者に報知することが可能になる。したがって、本実施の形態における血圧情報測定装置とすることにより、また本実施の形態における血圧情報測定装置用カフの装着状態判別方法を採用することにより、さらに使い勝手を向上させることができる。
【０１１１】
なお、以上において説明した本実施の形態における血圧情報測定装置およびこれに具備されるカフの装着状態判別方法にあっては、上記ステップＳ２０３において、脈波測定用空気袋２３の内圧Ｐ１の振幅成分の包絡線Ａ１と、血圧値測定用空気袋２４の内圧Ｐ２の振幅成分の包絡線Ａ２とを取得して、これらの相互相関を算出することでカフ２０が正しく上腕に装着されているか否かを判断することとしていた。しかしながら、これに代えて、上記ステップＳ２０３において、脈波測定用空気袋２３の内圧Ｐ１の振幅成分の振幅と、血圧値測定用空気袋２４の内圧Ｐ２の振幅成分の振幅との比を算出し、算出した比を予め定めた値と比較することでカフ２０が正しく上腕に装着されているか否かを判断することも可能である。そのように構成した場合には、たとえば、当該比が予め定めた値以上であると判断した場合にカフ２０が正しく装着されていると判断し、当該比が予め定めた値未満であると判断した場合にカフ２０が誤装着されていると判断すればよい。
【０１１２】
また、上述した本発明の実施の形態１，２およびその変形例においては、脈波測定用空気袋２３および血圧値測定用空気袋２４が単一のカフに具備されてなる血圧情報測定装置に本発明を適用した場合を例示して説明を行なったが、脈波測定用空気袋２３および血圧値測定用空気袋２４が別々のカフに具備されてなる血圧情報測定装置に本発明を適用することも当然に可能である。
【０１１３】
また、上述した本発明の実施の形態１，２およびその変形例においては、本体１０とカフ２０とが別体にて構成され、これら本体１０とカフ２０とが可撓性のエア管７０等を介して接続された血圧情報測定装置に本発明を適用した場合を例示して説明を行なったが、本体１０とカフ２０とが別体にて構成され、これらが移動可能に連結された血圧情報測定装置（いわゆる自動巻き付け式の血圧情報測定装置）に本発明を適用することも当然に可能である。
【０１１４】
また、上述した本発明の実施の形態１，２およびその変形例においては、カフ２０の被装着部位として上腕が企図された血圧情報測定装置に本発明を適用した場合を例示して説明を行なったが、身体の四肢のうちから選択されるいずれかの肢体に装着されて使用されることが企図された血圧情報測定装置であれば、どのようなものにも本発明を適用することができる。
【０１１５】
また、上述した本発明の実施の形態１，２およびその変形例においては、脈波測定用空気袋２３および血圧値測定用空気袋２４として内部に圧縮空気が注入される空気袋を採用した場合を例示して説明を行なったが、特に空気袋に限定されるものではなく、他の気体が注入される気体袋や液体が注入される液体袋にてこれらを構成することも当然に可能である。
【０１１６】
また、上述した本発明の実施の形態１，２およびその変形例においては、検出または算出した値が予め定めた閾値以上であるか閾値未満であるかを判断することでカフ２０が正しく装着されているか否かを判別するようにした場合を例示したが、特にこの方法に限定されるものではなく、当然に検出または算出した値が予め定めた閾値よりも大きいか閾値以下であるかを判断することでカフ２０が正しく装着されているか否かを判別するようにようにしてもよい。
【０１１７】
さらには、上述した本発明の実施の形態１，２およびその変形例においては、最高血圧、最低血圧および動脈硬化度を示す指標が取得可能な血圧情報測定装置に本発明を適用した場合を例示して説明を行なったが、少なくとも脈波を取得する機能を備えた血圧情報測定装置であれば、上記以外の血圧情報を取得するものであっても本発明を適用することが可能である。
【０１１８】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【０１１９】
１Ａ〜１Ｃ  血圧情報測定装置、１０  本体、１１  ケーシング、２０  カフ、２１  外装カバー、２１ａ  内側カバー、２１ｂ  外側カバー、２３  脈波測定用空気袋、２３ａ  内周部、２３ｂ  外周部、２３ｃ  内腔、２４  血圧値測定用空気袋、２４ａ  内周部、２４ｂ  外周部、２４ｃ  内腔、２６  カーラ、２８  クッション材、２９Ａ，２９Ｂ  面ファスナ、３０Ａ，３０Ｂ  加減圧手段、３１Ａ，３１Ｂ  加圧ポンプ、３２Ａ，３２Ｂ  排気弁、３３Ａ，３３Ｂ  圧力センサ、３６Ａ，３６Ｂ  加圧ポンプ駆動回路、３７Ａ，３７Ｂ  排気弁駆動回路、３８Ａ，３８Ｂ  増幅器、３９Ａ，３９Ｂ  Ａ／Ｄ変換器、４０  ＣＰＵ、４１  メモリ部、４２  表示部、４３  操作部、４４  ブザー、５０  ２ポート弁、５１  ２ポート弁駆動回路、５２  ３ポート弁、５３  ３ポート弁駆動回路、７０，７１  エア管、７２  分岐エア管、１００  左手、１０１  上腕。
【図１】
2011177249.tif 000003
【図２】
2011177249.tif 000004
【図３】
2011177249.tif 000005
【図４】
2011177249.tif 000006
【図５】
2011177249.tif 000007
【図６】
2011177249.tif 000008
【図７】
2011177249.tif 000009
【図８】
2011177249.tif 000010
【図９】
2011177249.tif 000011
【図１０】
2011177249.tif 000012
【図１１】
2011177249.tif 000013
【図１２】
2011177249.tif 000014
【図１３】
2011177249.tif 000015
【図１４】
2011177249.tif 000016
【図１５】
2011177249.tif 000017